(57)【要約】複数の蓄電ユニットと、制御部とを含み、各蓄電ユニットは、蓄電池と、入力端子と、出力端子と、入力端子及び出力端子を開放又は短絡するスイッチとを有し、制御部からの指示にしたがってスイッチ及び蓄電池の充放電を制御し、複数の蓄電ユニットは、各蓄電ユニットの入力端子と、各蓄電ユニットとは別の、複数の蓄電ユニットのうちの１つの蓄電ユニットの出力端子とが接続されて直列接続され、いずれの出力端子にも接続されていない入力端子は、停電時に自立運転を行ない発電した電力を出力する発電装置の自立出力端子に接続され、いずれの入力端子にも接続されていない出力端子は、停電時に電力が供給されるべき特定負荷に接続され、制御部は、停電時に、各蓄電ユニットに対する指示を生成する。
2019235220.tif 000002
【特許請求の範囲】
【請求項１】
複数の蓄電ユニットと、
制御部とを含み、
前記複数の蓄電ユニットの各蓄電ユニットは、蓄電池と、電力の入力端子と、電力の出力端子と、当該入力端子及び当該出力端子を開放又は短絡するスイッチとを有し、前記制御部からの指示にしたがって前記スイッチ及び前記蓄電池の充放電を制御し、
前記複数の蓄電ユニットは、前記複数の蓄電ユニットの各蓄電ユニットの入力端子と、前記各蓄電ユニットとは別の蓄電ユニットであって、前記複数の蓄電ユニットのうちの１つの蓄電ユニットの出力端子とが接続されることにより、前記複数の蓄電ユニット全体として直列接続されており、
直列接続された前記複数の蓄電ユニットにおいて、いずれの蓄電ユニットの出力端子にも接続されていない入力端子は、電力系統の停電時に自立運転を行ない発電した電力を自立出力端子から出力する発電装置の前記自立出力端子に接続され、
直列接続された前記複数の蓄電ユニットにおいて、いずれの蓄電ユニットの入力端子にも接続されていない出力端子は、停電時に電力が供給されるべき特定負荷に接続され、
前記制御部は、前記電力系統が停電状態になったことを受けて、前記複数の蓄電ユニットの各蓄電ユニットに対する前記指示を生成する、自立運転用蓄電システム。
【請求項２】
前記制御部は、前記自立出力端子の出力電力に応じて、前記複数の蓄電ユニットの各蓄電ユニットに対する前記指示を生成する、請求項１に記載の自立運転用蓄電システム。
【請求項３】
前記特定負荷に供給される電流を検出するセンサをさらに含み、
前記制御部は、前記センサの検出値から得た前記特定負荷の消費電力と前記自立出力端子の出力電力とに応じて、前記複数の蓄電ユニットの各蓄電ユニットに対する前記指示を生成する、請求項１又は請求項２に記載の自立運転用蓄電システム。
【請求項４】
前記制御部は、前記蓄電ユニットの前記蓄電池の蓄電量に応じて、当該蓄電ユニットに対する前記指示を生成する、請求項１から請求項３のいずれか１項に記載の自立運転用蓄電システム。
【請求項５】
前記制御部は、前記複数の蓄電ユニットの内のいずれかの蓄電ユニットに含まれ、
前記制御部は、前記制御部を含む蓄電ユニットを除く前記複数の蓄電ユニットの各々と、有線又は無線で互いに通信する通信部を含み、
前記制御部は、前記制御部を含む蓄電ユニットを除く前記複数の蓄電ユニットの各々に対して前記指示を、前記通信部を介して送信する、請求項１から請求項４のいずれか１項に記載の自立運転用蓄電システム。
【請求項６】
蓄電池を含み、別の蓄電ユニットと共通の制御部からの指示にしたがって前記蓄電池の充放電を制御する蓄電ユニットであって、
電力の入力端子と、
電力の出力端子と、
前記入力端子及び前記出力端子を開放又は短絡するスイッチとをさらに含み、
前記蓄電ユニットは、前記入力端子及び前記出力端子の少なくとも一方を介して、前記別の蓄電ユニットと直列接続され、
直列接続された前記蓄電ユニット及び前記別の蓄電ユニットにおいて、いずれの蓄電ユニットの出力端子にも接続されていない入力端子は、電力系統の停電時に自立運転を行ない発電した電力を自立出力端子から出力する発電装置の前記自立出力端子に接続され、
前記スイッチは、前記制御部が、前記発電装置の前記自立出力端子の出力電力が消失状態になったことを受けて出力した指示に応じて、前記入力端子及び前記出力端子を開放又は短絡する、蓄電ユニット。
【請求項７】
前記蓄電池は、前記スイッチがオンすることにより、前記入力端子と前記出力端子とを短絡する電路に接続されており、
前記スイッチの一端は前記蓄電池に接続され、
前記スイッチの他端は前記入力端子に接続されている、請求項６に記載の蓄電ユニット。
【請求項８】
複数の蓄電ユニットを含み、
前記複数の蓄電ユニットの各蓄電ユニットは、蓄電池と、電力の入力端子と、電力の出力端子と、当該入力端子及び当該出力端子を開放又は短絡するスイッチとを有し、
前記複数の蓄電ユニットは、前記複数の蓄電ユニットの各蓄電ユニットの入力端子と、前記各蓄電ユニットとは別の蓄電ユニットであって、前記複数の蓄電ユニットのうちの１つの蓄電ユニットの出力端子とが接続されることにより、前記複数の蓄電ユニット全体として直列接続されており、
直列接続された前記複数の蓄電ユニットにおいて、いずれの蓄電ユニットの出力端子にも接続されていない入力端子は、電力系統の停電時に自立運転を行ない発電した電力を自立出力端子から出力する発電装置の前記自立出力端子に接続され、
直列接続された前記複数の蓄電ユニットにおいて、いずれの蓄電ユニットの入力端子にも接続されていない出力端子は、停電時に電力が供給されるべき特定負荷に接続されているシステムの制御方法であって、
前記電力系統が停電状態になったか否かを判定する判定ステップと、
前記判定ステップにより、前記停電状態が発生したと判定されたことを受けて、前記自立出力端子から供給されている電力量、及び、前記複数の蓄電ユニットの各々の前記蓄電池の蓄電量に応じて、前記複数の蓄電ユニットの各々の前記スイッチ及び前記蓄電池の充放電を制御する制御ステップとを含む、制御方法。
【請求項９】
前記制御ステップは、前記複数の蓄電ユニットのうち、前記特定負荷に接続されている蓄電ユニットの蓄電池を最初に充放電させるステップを含む、請求項８に記載の制御方法。
【請求項１０】
前記自立出力端子から電力が出力されているか否かを判定する自立出力判定ステップをさらに含み、
前記制御ステップは、前記自立出力判定ステップにより、前記自立出力端子から電力が出力されていると判定されたことを受けて、前記自立出力端子から出力される電力が前記特定負荷に供給されるように、前記複数の蓄電ユニットの各々の前記スイッチを制御しつつ、前記発電装置の余剰電力により、前記複数の蓄電ユニットの各々の前記蓄電池を充電するステップを含み、
前記複数の蓄電ユニットの各々の前記蓄電池の充電割合は、前記複数の蓄電ユニットの各々の前記蓄電池の状態が均等になるように制御される、請求項８又は請求項９に記載の制御方法。
【請求項１１】
前記制御ステップは、前記自立出力判定ステップにより、前記自立出力端子から電力が出力されていないと判定されたことを受けて、前記複数の蓄電ユニットの内、前記自立出力端子に接続されている蓄電ユニットのスイッチである第１スイッチを開放し、且つ、前記複数の蓄電ユニットの内、前記発電装置により近い位置で前記直列接続されている蓄電ユニットの蓄電池から前記特定負荷に電力が供給されるように、前記第１スイッチ以外の、前記複数の蓄電ユニットの各々の前記スイッチを制御する第１ステップを含む、請求項８から請求項１０のいずれか１項に記載の制御方法。
【請求項１２】
前記制御ステップは、前記第１ステップの後、前記特定負荷に電力を出力していた蓄電ユニットの蓄電池の蓄電量がゼロになったか否かを判定する蓄電量判定ステップをさらに含み、
前記制御ステップは、前記蓄電量判定ステップにより、前記特定負荷に電力を出力していた蓄電ユニットの蓄電池の蓄電量がゼロになったと判定されたことを受けて、当該蓄電ユニットのスイッチである第２スイッチを開放し、且つ、当該蓄電ユニットよりも、前記特定負荷に近い位置で前記直列接続されている蓄電ユニットの蓄電池から前記特定負荷に電力が供給されるように、前記第１スイッチ及び前記第２スイッチ以外の、前記複数の蓄電ユニットの各々の前記スイッチを制御する第２ステップをさらに含む、請求項１１に記載の制御方法。
【発明の詳細な説明】
【技術分野】
【０００１】
本開示は、自立運転用蓄電システム、蓄電ユニット及び制御方法に関する。本出願は、２０１８年６月６日出願の日本出願第２０１８−１０８３０９号に基づく優先権を主張し、前記日本出願に記載された全ての記載内容を援用するものである。
【背景技術】
【０００２】
電力系統に接続され、一旦蓄電池に蓄えた電力を、停電時等に電力変換装置を介して負荷に供給することができる蓄電システムが知られている。太陽光発電システムにも接続され、負荷に供給される電力を超えた発電電力（余剰電力）を蓄える蓄電システムも知られている。そのような蓄電システムにおいて、一旦、所定容量の蓄電システムを設置した後に、何らかの理由により大容量の電力を蓄電することが必要になることがある。後掲の特許文献１には、既設の太陽光発電システムにおいて、設置後にバックアップ電源システムの容量の増大を簡易に行なうことができる技術が開示されている。【０００３】
既設の蓄電システムにおいて蓄電容量を増大するために、蓄電池のみで構成される増設ユニットが追加される。図１を参照して、蓄電ユニット９００のパワーコンディショナ（以下、ＰＣＳ（Ｐｏｗｅｒ  Ｃｏｎｄｉｔｉｏｎｉｎｇ  Ｓｙｓｔｅｍ）という）は特定コンセント９０６に接続されている。電力系統に停電が発生すると、蓄電ユニット９００のＰＣＳは、リモコン９０４による設定に応じて、蓄電ユニット９００及び増設ユニット９０２に蓄えられた電力を直流から交流に変換して、特定コンセント９０６に供給する。これにより、特定コンセント９０６に接続されている機器には、停電時にも電力が供給される。蓄電ユニット９００の蓄電池に、増設ユニット９０２の蓄電池が並列に接続されることにより蓄電容量が大きくなる。したがって、比較的小容量の要望には蓄電ユニット９００単体で対応し、要求される容量がより大きければ、増設ユニット９０２を追加することで対応が可能になる。
【先行技術文献】
【特許文献】
【０００４】
【特許文献１】特開２０１７−２８８８４号公報
【発明の概要】
【０００５】
本開示のある局面に係る自立運転用蓄電システムは、複数の蓄電ユニットと、制御部とを含み、複数の蓄電ユニットの各蓄電ユニットは、蓄電池と、電力の入力端子と、電力の出力端子と、当該入力端子及び当該出力端子を開放又は短絡するスイッチとを有し、制御部からの指示にしたがってスイッチ及び蓄電池の充放電を制御し、複数の蓄電ユニットは、複数の蓄電ユニットの各蓄電ユニットの入力端子と、各蓄電ユニットとは別の蓄電ユニットであって、複数の蓄電ユニットのうちの１つの蓄電ユニットの出力端子とが接続されることにより、複数の蓄電ユニット全体として直列接続されており、直列接続された複数の蓄電ユニットにおいて、いずれの蓄電ユニットの出力端子にも接続されていない入力端子は、電力系統の停電時に自立運転を行ない発電した電力を自立出力端子から出力する発電装置の自立出力端子に接続され、直列接続された複数の蓄電ユニットにおいて、いずれの蓄電ユニットの入力端子にも接続されていない出力端子は、停電時に電力が供給されるべき特定負荷に接続され、制御部は、電力系統が停電状態になったことを受けて、複数の蓄電ユニットの各蓄電ユニットに対する指示を生成する。
【０００６】
本開示の別の局面に係る蓄電ユニットは、蓄電池を含み、別の蓄電ユニットと共通の制御部からの指示にしたがって蓄電池の充放電を制御する蓄電ユニットであって、電力の入力端子と、電力の出力端子と、入力端子及び出力端子を開放又は短絡するスイッチとをさらに含み、蓄電ユニットは、入力端子及び出力端子の少なくとも一方を介して、別の蓄電ユニットと直列接続され、スイッチは、制御部が、電力系統が停電状態になったことを受けて出力した指示に応じて、入力端子及び出力端子を開放又は短絡する。
【０００７】
本開示のさらに別の局面に係る制御方法は、複数の蓄電ユニットを含み、複数の蓄電ユニットの各蓄電ユニットは、蓄電池と、電力の入力端子と、電力の出力端子と、当該入力端子及び当該出力端子を開放又は短絡するスイッチとを有し、複数の蓄電ユニットは、複数の蓄電ユニットの各蓄電ユニットの入力端子と、各蓄電ユニットとは別の蓄電ユニットであって、複数の蓄電ユニットのうちの１つの蓄電ユニットの出力端子とが接続されることにより、複数の蓄電ユニット全体として直列接続されており、直列接続された複数の蓄電ユニットにおいて、いずれの蓄電ユニットの出力端子にも接続されていない入力端子は、電力系統の停電時に自立運転を行ない発電した電力を自立出力端子から出力する発電装置の自立出力端子に接続され、直列接続された複数の蓄電ユニットにおいて、いずれの蓄電ユニットの入力端子にも接続されていない出力端子は、停電時に電力が供給されるべき特定負荷に接続されているシステムの制御方法であって、電力系統が停電状態になったか否かを判定する判定ステップと、判定ステップにより、停電状態が発生したと判定されたことを受けて、自立出力端子から供給されている電力量、及び、複数の蓄電ユニットの各々の蓄電池の蓄電量に応じて、複数の蓄電ユニットの各々のスイッチ及び蓄電池の充放電を制御する制御ステップとを含む。
【図面の簡単な説明】
【０００８】
【図１】図１は、従来の自立運転用蓄電システムの構成を示すブロック図である。
【図２】図２は、同じ製品の蓄電ユニットを複数並列に備える自立運転用蓄電システムの構成を示すブロック図である。
【図３】図３は、本開示の実施形態に係る自立運転用蓄電システムの構成を示すブロック図である。
【図４】図４は、図３のリモコンの動作を示すフローチャートである。
【図５】図５は、図３の蓄電ユニットの動作を示すフローチャートである。
【図６】図６は、図３の増設ユニットの動作を示すフローチャートである。
【図７】図７は、図３の発電装置の動作を示すフローチャートである。
【図８】図８は、図３の蓄電ユニット及び増設ユニットの停電時における状態を示すブロック図である。
【図９】図９は、図３の蓄電ユニット及び増設ユニットの停電時における、図８とは別の状態を示すブロック図である。
【図１０】図１０は、図３の蓄電ユニット及び増設ユニットの停電時における、図８及び図９とは別の状態を示すブロック図である。
【図１１】図１１は、図３の蓄電ユニット及び増設ユニットの停電時における、図８から図１０とは別の状態を示すブロック図である。
【図１２】図１２は、図３の蓄電ユニット及び増設ユニットの停電時における、図８から図１１とは別の状態を示すブロック図である。
【図１３】図１３は、第２変形例におけるリモコンの動作を示すフローチャートである。
【図１４】図１４は、第３変形例に係る自立運転用蓄電システムの構成を示すブロック図である。
【発明を実施するための形態】
【０００９】
［本開示が解決しようとする課題］
図１の構成では、増設ユニット９０２は、蓄電ユニット９００とは構成が異なるため、蓄電ユニット９００と増設ユニット９０２とをそれぞれ別の製品番号を付して管理することが必要になる。また、蓄電ユニット９００の製造台数と増設ユニット９０２の製造台数とを調整することも必要になり、煩雑である。
【００１０】
したがって、本開示は、蓄電ユニットを複数備え、電力系統に停電が発生した場合に、特定負荷に効率的に電力を供給することができる自立運転用蓄電システム、蓄電ユニット及びその制御方法を提供することを目的とする。
【００１１】
［本開示の効果］
本開示によれば、蓄電ユニットを複数備える自立運転用蓄電システムにおいて、電力系統に停電が発生した場合に、特定負荷に効率的に電力を供給できる。
【００１２】
［本開示の実施形態の説明］
最初に、本開示の実施の形態の内容を列記して説明する。以下に記載する実施形態の少なくとも一部を任意に組み合わせてもよい。
【００１３】
（１）本開示のある局面に係る自立運転用蓄電システムは、複数の蓄電ユニットと、制御部とを含み、複数の蓄電ユニットの各蓄電ユニットは、蓄電池と、電力の入力端子と、電力の出力端子と、当該入力端子及び当該出力端子を開放又は短絡するスイッチとを有し、制御部からの指示にしたがってスイッチ及び蓄電池の充放電を制御し、複数の蓄電ユニットは、複数の蓄電ユニットの各蓄電ユニットの入力端子と、各蓄電ユニットとは別の蓄電ユニットであって、複数の蓄電ユニットのうちの１つの蓄電ユニットの出力端子とが接続されることにより、複数の蓄電ユニット全体として直列接続されており、直列接続された複数の蓄電ユニットにおいて、いずれの蓄電ユニットの出力端子にも接続されていない入力端子は、電力系統の停電時に自立運転を行ない発電した電力を自立出力端子から出力する発電装置の自立出力端子に接続され、直列接続された複数の蓄電ユニットにおいて、いずれの蓄電ユニットの入力端子にも接続されていない出力端子は、停電時に電力が供給されるべき特定負荷に接続され、制御部は、電力系統が停電状態になったことを受けて、複数の蓄電ユニットの各蓄電ユニットに対する指示を生成する。
【００１４】
上記した従来技術の問題を解決するために、図２のように、蓄電ユニット９１０と同じ製品の増設ユニット９１２を追加することが考えられる。蓄電ユニット９１０及び増設ユニット９１２は、発電装置９２０の自立出力端子に並列に接続されている。即ち、蓄電ユニット９１０は、第１自立出力端子９２６に接続され、停電時に、第１特定負荷９２２に電力を供給可能に構成されている。増設ユニット９１２は、第２自立出力端子９２８に接続され、停電時に、第２特定負荷９２４に電力を供給可能に構成されている。なお、実際の配電線は複数本（２相又は３相）であるが、図２では１本のラインで示している。
【００１５】
停電が発生すると、リモコン９１４は、発電装置９２０が発電中であれば、発電された電力が第１特定負荷９２２に供給されるように蓄電ユニット９１０のＰＣＳを制御する。第１自立出力端子９２６から供給される電力が、第１特定負荷９２２の消費電力を超える場合（余剰電力がある場合）、リモコン９１４は、余剰電力で蓄電ユニット９１０内部の蓄電池を充電するように、蓄電ユニット９１０のＰＣＳを制御する。第１自立出力端子９２６から供給される電力が、第１特定負荷９２２の消費電力よりも小さい場合、リモコン９１４は、不足する電力を蓄電ユニット９１０内部の蓄電池から供給するように、蓄電ユニット９１０のＰＣＳを制御する。発電装置９２０が発電中でなければ、リモコン９１４は、蓄電ユニット９１０内部の蓄電池から電力を第１特定負荷９２２に供給するように、蓄電ユニット９１０のＰＣＳを制御する。
【００１６】
リモコン９１６もリモコン９１４と同様に動作する。即ち、停電が発生すると、リモコン９１６は、発電装置９２０が発電中であれば、発電された電力が第２特定負荷９２４に供給されるように増設ユニット９１２のＰＣＳを制御する。第２自立出力端子９２８から供給される電力が、第２特定負荷９２４の消費電力を超える場合、リモコン９１６は、余剰電力で増設ユニット９１２内部の蓄電池を充電するように、増設ユニット９１２のＰＣＳを制御する。第２自立出力端子９２８から供給される電力が、第２特定負荷９２４の消費電力よりも小さい場合、リモコン９１６は、不足する電力を増設ユニット９１２内部の蓄電池から供給するように、増設ユニット９１２のＰＣＳを制御する。発電装置９２０が発電中でなければ、リモコン９１６は、増設ユニット９１２内部の蓄電池から電力を第２特定負荷９２４に供給するように、増設ユニット９１２のＰＣＳを制御する。
【００１７】
しかし、図２の構成では、発電装置の自立出力が２系統必要であり、蓄電ユニット９１０及び増設ユニット９１２のそれぞれを制御するために合計２つのリモコンが必要である等、冗長なシステムである。また、異常発生時等に、２つのリモコンをそれぞれ操作する必要があり煩雑である。これに対して、上記した本開示のある局面に係る自立運転用蓄電システムでは、従来技術の問題を解決できることに加えて、電力系統に停電が発生した場合に、複数の蓄電ユニット及び発電装置のいずれかから特定負荷に効率的に電力を供給できる。また、複数の蓄電ユニットが直列接続されていることにより、並列接続される場合よりも長い時間、特定負荷に電力を供給できる。
【００１８】
（２）好ましくは、制御部は、自立出力端子の出力電力に応じて、複数の蓄電ユニットの各蓄電ユニットに対する指示を生成する。これにより、複数の蓄電ユニット及び発電装置の中から、特定負荷に供給する電力源を適切に決定できる。
【００１９】
（３）より好ましくは、特定負荷に供給される電流を検出するセンサをさらに含み、制御部は、センサの検出値から得た特定負荷の消費電力と自立出力端子の出力電力とに応じて、複数の蓄電ユニットの各蓄電ユニットに対する指示を生成する。これにより、複数の蓄電ユニット及び発電装置の中から、特定負荷に供給する電力源を、より適切に決定できる。
【００２０】
（４）さらに好ましくは、制御部は、蓄電ユニットの蓄電池の蓄電量に応じて、当該蓄電ユニットに対する指示を生成する。これにより、複数の蓄電ユニット及び発電装置の中から、特定負荷に供給する電力源を適切に決定でき、１つの蓄電ユニットの蓄電池から電力を供給しているときに蓄電量がゼロになれば、別の蓄電ユニットの蓄電池から電力を供給できる。
【００２１】
（５）好ましくは、制御部は、複数の蓄電ユニットの内のいずれかの蓄電ユニットに含まれ、制御部は、制御部を含む蓄電ユニットを除く複数の蓄電ユニットの各々と、有線又は無線で互いに通信する通信部を含み、制御部は、制御部を含む蓄電ユニットを除く複数の蓄電ユニットの各々に対して指示を、通信部を介して送信する。
【００２２】
（６）より好ましくは、制御部は、直列接続された複数の蓄電ユニットのうち、特定負荷に接続されている蓄電ユニットの蓄電池を最初に充放電させるように、複数の蓄電ユニットの各蓄電ユニットに対する指示を生成する。
【００２３】
（７）さらに好ましくは、制御部は、直列接続された複数の蓄電ユニットにおいて、特定負荷により近い位置で接続されている蓄電ユニットの蓄電池をより優先的に充放電させるように、複数の蓄電ユニットの各蓄電ユニットに対する指示を生成する。
【００２４】
（８）好ましくは、制御部は、自立出力端子から供給される電力量が所定値未満になったことを受けて、特定負荷に電力を供給する蓄電ユニットのスイッチをオフして当該蓄電ユニットの蓄電池への自立出力端子からの電力供給を停止し、当該蓄電ユニットよりも特定負荷側に位置する蓄電ユニットのスイッチをオンするように、複数の蓄電ユニットの各蓄電ユニットに対する指示を生成する。
【００２５】
（９）より好ましくは、蓄電ユニットは、電力系統が停電状態になったことを受けて制御部から送信される要求を受けて、当該蓄電ユニットの蓄電池の蓄電量を制御部に送信する。
【００２６】
（１０）さらに好ましくは、自立運転用蓄電システムはリモコンをさらに含み、制御部はリモコンに含まれる。
【００２７】
（１１）好ましくは、自立運転用蓄電システムは、電力系統から供給される電力を検出するセンサと、当該センサの検出値に応じて、電力系統が停電状態になったか否かを判定する判定部とをさらに含む。
【００２８】
（１２）より好ましくは、制御部は、外部装置から、電力系統が停電状態になったことを表す信号を受信する受信部を含む。
【００２９】
（１３）さらに好ましくは、自立運転用蓄電システムは、電力系統が停電状態になったことを受けて、特定負荷を電力系統から切り離し、直列接続された複数の蓄電ユニットに接続する切替部をさらに含む。
【００３０】
（１４）本開示の別の局面に係る蓄電ユニットは、蓄電池を含み、別の蓄電ユニットと共通の制御部からの指示にしたがって蓄電池の充放電を制御する蓄電ユニットであって、電力の入力端子と、電力の出力端子と、入力端子及び出力端子を開放又は短絡するスイッチとをさらに含み、蓄電ユニットは、入力端子及び出力端子の少なくとも一方を介して、別の蓄電ユニットと直列接続され、直列接続された蓄電ユニット及び別の蓄電ユニットにおいて、いずれの蓄電ユニットの出力端子にも接続されていない入力端子は、電力系統の停電時に自立運転を行ない発電した電力を自立出力端子から出力する発電装置の自立出力端子に接続され、スイッチは、制御部が、発電装置の自立出力端子の出力電力が消失状態になったことを受けて出力した指示に応じて、入力端子及び出力端子を開放又は短絡する。
【００３１】
（１５）好ましくは、蓄電池は、スイッチがオンすることにより、入力端子と出力端子とを短絡する電路に接続されており、スイッチの一端は蓄電池に接続され、スイッチの他端は入力端子に接続されている。
【００３２】
（１６）本開示のさらに別の局面に係る制御方法は、複数の蓄電ユニットを含み、複数の蓄電ユニットの各蓄電ユニットは、蓄電池と、電力の入力端子と、電力の出力端子と、当該入力端子及び当該出力端子を開放又は短絡するスイッチとを有し、複数の蓄電ユニットは、複数の蓄電ユニットの各蓄電ユニットの入力端子と、各蓄電ユニットとは別の蓄電ユニットであって、複数の蓄電ユニットのうちの１つの蓄電ユニットの出力端子とが接続されることにより、複数の蓄電ユニット全体として直列接続されており、直列接続された複数の蓄電ユニットにおいて、いずれの蓄電ユニットの出力端子にも接続されていない入力端子は、電力系統の停電時に自立運転を行ない発電した電力を自立出力端子から出力する発電装置の自立出力端子に接続され、直列接続された複数の蓄電ユニットにおいて、いずれの蓄電ユニットの入力端子にも接続されていない出力端子は、停電時に電力が供給されるべき特定負荷に接続されているシステムの制御方法であって、電力系統が停電状態になったか否かを判定する判定ステップと、判定ステップにより、停電状態が発生したと判定されたことを受けて、自立出力端子から供給されている電力量、及び、複数の蓄電ユニットの各々の蓄電池の蓄電量に応じて、複数の蓄電ユニットの各々のスイッチ及び蓄電池の充放電を制御する制御ステップとを含む。
【００３３】
（１７）好ましくは、制御ステップは、複数の蓄電ユニットのうち、特定負荷に接続されている蓄電ユニットの蓄電池を最初に充放電させるステップを含む。
【００３４】
（１８）より好ましくは、自立出力端子から電力が出力されているか否かを判定する自立出力判定ステップをさらに含み、制御ステップは、自立出力判定ステップにより、自立出力端子から電力が出力されていると判定されたことを受けて、自立出力端子から出力される電力が特定負荷に供給されるように、複数の蓄電ユニットの各々のスイッチを制御しつつ、発電装置の余剰電力により、複数の蓄電ユニットの各々の蓄電池を充電するステップを含み、複数の蓄電ユニットの各々の蓄電池の充電割合は、複数の蓄電ユニットの各々の蓄電池の状態が均等になるように制御される。
【００３５】
（１９）より好ましくは、制御ステップは、自立出力判定ステップにより、自立出力端子から電力が出力されていないと判定されたことを受けて、複数の蓄電ユニットの内、自立出力端子に接続されている蓄電ユニットのスイッチである第１スイッチを開放し、且つ、複数の蓄電ユニットの内、発電装置により近い位置で直列接続されている蓄電ユニットの蓄電池から特定負荷に電力が供給されるように、第１スイッチ以外の、複数の蓄電ユニットの各々のスイッチを制御する第１ステップを含む。
【００３６】
（２０）さらに好ましくは、制御ステップは、第１ステップの後、特定負荷に電力を出力していた蓄電ユニットの蓄電池の蓄電量がゼロになったか否かを判定する蓄電量判定ステップをさらに含み、制御ステップは、蓄電量判定ステップにより、特定負荷に電力を出力していた蓄電ユニットの蓄電池の蓄電量がゼロになったと判定されたことを受けて、当該蓄電ユニットのスイッチである第２スイッチを開放し、且つ、当該蓄電ユニットよりも、特定負荷に近い位置で直列接続されている蓄電ユニットの蓄電池から特定負荷に電力が供給されるように、第１スイッチ及び第２スイッチ以外の、複数の蓄電ユニットの各々のスイッチを制御する第２ステップをさらに含む。
【００３７】
［本開示の実施形態の詳細］
以下の実施の形態では、同一の部品には同一の参照番号を付してある。それらの名称及び機能も同一である。したがって、それらについての詳細な説明は繰返さない。
【００３８】
（実施形態）
［全体構成］
図３を参照して、本開示の実施形態に係る自立運転用蓄電システム１００は、蓄電ユニット１０２と、増設ユニット１０４と、リモコン１０６と、切替部１０８と、第１センサ１１０と、第２センサ１３２とを含む。蓄電ユニット１０２は、発電装置１２０の自立出力端子１２２に接続されている。増設ユニット１０４は、蓄電ユニット１０２に直列に接続されている。リモコン１０６は、通信部１０７を含む。リモコン１０６は、通信部１０７を介して蓄電ユニット１０２及び増設ユニット１０４と、有線又は無線により通信する。切替部１０８は、増設ユニット１０４に接続されている。第１センサ１１０は、特定負荷１２４に供給される電力を測定する。第２センサ１３２は、電力系統１３０からの電力供給を検出する。特定負荷１２４は、電力系統１３０に停電が発生していないとき（以下、通常時ともいう）に限らず、停電が発生しているとき（以下、停電時ともいう）にも電力が供給されるべき負荷である。一般負荷１３４は、通常時に電力が供給されるが、停電時には電力が供給されない負荷である。なお、実際の配電線は複数本（２相又は３相）であるが、図３では１本のラインで示している。
【００３９】
発電装置１２０は、電力系統１３０から一般負荷１３４に電力を供給するための配電線に接続され、通常時には、発電した電力を一般負荷１３４に供給できる。発電装置１２０は、電力系統１３０の停電時には、第２センサ１３２に電力を供給するための配電線への接続を開放して自立運転を開始し、自立出力端子１２２から電力を供給する。第２センサ１３２は、例えば電力系統１３０から供給される電圧を検出する電圧センサであり、発電装置１２０は、第２センサ１３２の検出値により、停電の発生の有無を判定できる。発電装置１２０は、自立運転を開始すると、自立出力端子１２２から供給する電力量を表す情報（以下、自立出力情報ともいう）をリモコン１０６に送信する。ここでは、発電装置１２０は、太陽光パネルとＰＣＳとを備えた太陽光発電システムである。発電装置１２０のＰＣＳは、制御部（ＣＰＵ、マイコン等）と記憶部（例えば、書換可能な不揮発性メモリ）と通信部とを備え、リモコン１０６の通信部と通信を行なう。
【００４０】
蓄電ユニット１０２及び増設ユニット１０４はそれぞれ、ＰＣＳと蓄電池（リチウムイオン二次電池等）とを備える。蓄電ユニット１０２及び増設ユニット１０４はそれぞれ、外部から供給される電力（交流）を、ＰＣＳを介して交流から直流に変換して内部の蓄電池に蓄える。蓄電ユニット１０２及び増設ユニット１０４の各ＰＣＳは、制御部（ＣＰＵ、マイコン等）と記憶部（例えば、書換可能な不揮発性メモリ）と通信部とを備えている。各ＰＣＳは、自機の通信部を介してリモコン１０６の通信部１０７と通信を行ない、運転／停止等の指示を受信する。各ＰＣＳは、リモコン１０６からの指示に応じて充放電動作を実行する。ここでは、蓄電ユニット１０２と増設ユニット１０４とは同じ構成であり、蓄電池の容量も同じであるとする。即ち、蓄電ユニット１０２及び増設ユニット１０４は同じ製品として市場に提供される。
【００４１】
また、蓄電ユニット１０２及び増設ユニット１０４はそれぞれ、第１バイパススイッチ１１２及び第２バイパススイッチ１１４を備えている。蓄電ユニット１０２の第１バイパススイッチ１１２は、その一端（蓄電ユニット１０２の入力端）が自立出力端子１２２に接続され、他端（蓄電ユニット１０２の出力端）がＰＣＳに接続されている。即ち、第１バイパススイッチ１１２は、ＰＣＳ及び蓄電池よりも蓄電ユニット１０２の入力端子側に配置されている。増設ユニット１０４の第２バイパススイッチ１１４は、その一端（増設ユニット１０４の入力端）が蓄電ユニット１０２の出力端に接続され、他端（増設ユニット１０４の出力端）がＰＣＳに接続されている。即ち、第２バイパススイッチ１１４は、ＰＣＳ及び蓄電池よりも増設ユニット１０４の入力端子側に配置されている。
【００４２】
切替部１０８は、一方の入力端１４０が増設ユニット１０４の出力端に接続され、他方の入力端１４２が電力系統１３０から電力を供給するための配電線に接続されており、出力端１４４は特定負荷１２４に接続されている。切替部１０８は、リモコン１０６により制御され、通常時には他方の入力端１４２と出力端１４４とを接続し、電力系統１３０の停電時には一方の入力端１４０と出力端１４４とを接続する。これにより、通常時と電力系統１３０の停電時とにおいて、特定負荷１２４に供給する電力の供給源が変更される。
【００４３】
リモコン１０６は、制御部（ＣＰＵ、マイコン等）と記憶部（例えば、書換可能な不揮発性メモリ）と通信部とを備えている。リモコン１０６は、蓄電ユニット１０２及び増設ユニット１０４と通信し、受信した情報を適宜記憶部に記憶する。リモコン１０６は、第１センサ１１０の検出値を受けて、特定負荷１２４に供給されている電力量を求めることができる。第１センサ１１０は、例えば電流センサであり、設置された位置で配電線に流れる電流（交流）を検出し、対応する情報（電流値等）を出力する。また、リモコン１０６は、第２センサ１３２の検出値を受けて、電力系統１３０に停電が発生したか否かを判定できる。リモコン１０６は、停電が発生したことを検出すると、切替部１０８を制御して、上記したように接続を切替えさせ、発電装置１２０から取得した自立出力情報に応じて、蓄電ユニット１０２及び増設ユニット１０４の各ＰＣＳを制御する。
【００４４】
［制御動作］
以下に、図４から図７を参照して、電力系統１３０の停電時におけるリモコン１０６、蓄電ユニット１０２、増設ユニット１０４及び発電装置１２０が行なう動作を具体的に説明する。ここでは、蓄電ユニット１０２及び増設ユニット１０４は、通常時（初期状態）には、それぞれ第１バイパススイッチ１１２及び第２バイパススイッチ１１４が開放（オフ）され、それぞれのＰＣＳは停止しているとする。なお、ＰＣＳが停止している状態では、ＰＣＳは充放電の制御動作を停止しているが、リモコン１０６と通信可能な状態にある。
【００４５】
図４のフローチャートはリモコン１０６により実行される。具体的には、リモコン１０６の制御部が、リモコン１０６内部の記憶部から所定のプログラムを読出して実行する。
【００４６】
ステップ２００において、リモコン１０６は、特定負荷１２４の消費電力を測定する。具体的には、リモコン１０６は、第１センサ１１０から入力される情報（電流値）から特定負荷１２４に供給されている電力を求め、内部の記憶部に記憶する。後述するように、ステップ２００は繰返されるので、最新の電力値を記憶しておけばよい。その後制御は、ステップ２０２に移行する。
【００４７】
ステップ２０２において、リモコン１０６は、電力系統１３０に停電が発生しているか否かを判定する。具体的には、リモコン１０６は、第２センサ１３２からの情報（電圧値）により、停電時であるか否かを判定する。例えば、電圧が所定値（ゼロに近い値）以下であれば、停電時であると判定することができる。停電時であると判定された場合、制御はステップ２０４に移行する。そうでなければ、制御はステップ２００に戻る。
【００４８】
ステップ２０４において、リモコン１０６は、上記したように切替部１０８を停電時の設定（入力端１４０及び出力端１４４が接続）にし、増設ユニット１０４内部の蓄電池の蓄電量（以下、ＳＯＣ（Ｓｔａｔｅ  Ｏｆ  Ｃｈａｒｇｅ）という）の送信を要求する要求コード（以下、ＳＯＣ要求コードともいう）を、増設ユニット１０４に送信する。後述するように、ステップ２０４は繰返されるので、既に切替部１０８が停電時の設定になっていれば、その状態が維持される。その後、制御はステップ２０６に移行する。
【００４９】
ステップ２０６において、リモコン１０６は、ステップ２０４で増設ユニット１０４に要求したＳＯＣと、発電装置１２０の自立出力電力の情報とを取得したか否かを判定する。自立出力電力の情報は、上記したように、停電が発生すると、発電装置１２０からリモコン１０６に送信される自立出力情報（自立出力端子１２２から供給する電力量）である。両方を取得したと判定された場合、リモコン１０６は、取得したＳＯＣ及び自立出力情報を記憶部に記憶し、制御はステップ２０８に移行する。そうでなければ、ステップ２０６が繰返される。後述するように、ステップ２０６は繰返されるので、ＳＯＣ及び自立出力情報は最新の値が記憶されていればよい。
【００５０】
ステップ２０８において、リモコン１０６は、ステップ２０６で取得したＳＯＣ（増設ユニット１０４の蓄電池の蓄電量）がゼロであるか否かを判定する。ＳＯＣ＝０であると判定された場合、制御はステップ２１０に移行する。そうでなければ、制御はステップ２１８に移行する。
【００５１】
ステップ２１０において、リモコン１０６は、入力される電力をバイパス出力し、且つ、ＰＣＳを停止するように、増設ユニット１０４に指示を送信する。指示は、例えば、バイパスパラメータ（バイパススイッチのＯＮ／ＯＦＦ）及び充放電パラメータの組を含むようにすればよい。バイパスパラメータに関しては、例えば、“１”はバイパス出力の指示、即ち、ユニット内部のバイパススイッチをオン（短絡）する指示を表し、“０”はバイパス出力しない指示、即ち、ユニット内部のバイパススイッチをオフする指示を表す。充放電パラメータに関しては、例えば、“−１”は充電の指示、“１”は放電の指示、“０”は停止（充放電なし）の指示を表す。このような規則が予め定められていれば、リモコン１０６は増設ユニット１０４に、（１，０）のデータ（バイパスパラメータが“１”（バイパス出力する）、充放電パラメータが“０”（ＰＣＳを停止））を含む指示を送信すればよい。その後制御は、ステップ２１２に移行する。
【００５２】
ステップ２１２において、リモコン１０６は、ステップ２０６で取得した自立出力電力が、ステップ２００で測定した特定負荷１２４の電力以上であるか否かを判定する。自立出力電力が特定負荷電力以上であると判定された場合、制御はステップ２１４に移行する。そうでなければ、制御はステップ２１６に移行する。
【００５３】
ステップ２１４において、リモコン１０６は、蓄電ユニット１０２に入力される電力をバイパス出力し、且つ、充電するように、蓄電ユニット１０２に指示を送信する。具体的には、バイパスパラメータ及び充放電パラメータを上記のように設定するとすれば、リモコン１０６は蓄電ユニット１０２に、（１，−１）のデータを含む指示を送信すればよい。その後制御は、ステップ２２６に移行する。（１，−１）のデータは、バイパスパラメータが“１”（バイパス出力する）、充放電パラメータが“−１”（充電）を表す。
【００５４】
ステップ２１６において、リモコン１０６は、蓄電ユニット１０２に入力される電力をバイパス出力せず、且つ、放電するように、蓄電ユニット１０２に指示を送信する。具体的には、バイパスパラメータ及び充放電パラメータを上記のように設定するとすれば、リモコン１０６は蓄電ユニット１０２に、（０，１）のデータを含む指示を送信すればよい。（０，１）のデータは、バイパスパラメータが“０”（バイパス出力しない）、充放電パラメータが“１”（放電）を表す。その後制御は、ステップ２２６に移行する。
【００５５】
一方、ＳＯＣ＝０でない場合（ステップ２０８参照）、ステップ２１８において、リモコン１０６は、蓄電ユニット１０２に入力される電力をバイパス出力し、且つ、ＰＣＳを停止するように、蓄電ユニット１０２に指示を送信する。具体的には、バイパスパラメータ及び充放電パラメータを上記のように設定するとすれば、リモコン１０６は蓄電ユニット１０２に、（１，０）のデータを含む指示を送信すればよい。（１，０）のデータは、バイパスパラメータが“１”（バイパス出力する）、充放電パラメータが“０”（ＰＣＳを停止）を表す。その後制御は、ステップ２２０に移行する。
【００５６】
ステップ２２０において、リモコン１０６は、ステップ２０６で取得した自立出力電力が、ステップ２００で測定した特定負荷１２４の電力以上であるか否かを判定する。自立出力電力が特定負荷電力以上であると判定された場合、制御はステップ２２２に移行する。そうでなければ、制御はステップ２２４に移行する。
【００５７】
ステップ２２２において、リモコン１０６は、増設ユニット１０４に入力される電力をバイパス出力し、且つ、充電するように、増設ユニット１０４に指示を送信する。具体的には、バイパスパラメータ及び充放電パラメータを上記のように設定するとすれば、リモコン１０６は増設ユニット１０４に、（１，−１）のデータを含む指示を送信すればよい。（１，−１）のデータは、バイパスパラメータが“１”（バイパス出力する）、充放電パラメータが“−１”（充電）を表す。その後制御は、ステップ２２６に移行する。
【００５８】
ステップ２２４において、リモコン１０６は、増設ユニット１０４に入力される電力をバイパス出力せず、且つ、放電するように、増設ユニット１０４に指示を送信する。具体的には、バイパスパラメータ及び充放電パラメータを上記のように設定するとすれば、リモコン１０６は増設ユニット１０４に、（０，１）のデータを含む指示を送信すればよい。（０，１）のデータは、バイパスパラメータが“０”（バイパス出力しない）、充放電パラメータが“１”（放電）を表す。その後制御は、ステップ２２６に移行する。
【００５９】
ステップ２２６において、リモコン１０６は、終了するか否かを判定する。例えば、電力系統１３０の停電が解消し、電力系統１３０から電力の供給が開始されたことにより、リモコン１０６は終了と判定する。終了すると判定された場合、リモコン１０６は、切替部１０８を通常時の状態に変更し、蓄電ユニット１０２及び増設ユニット１０４に対して停止指示を送信する。その後、本プログラムは終了する。そうでなければ、制御はステップ２００に戻り、終了すると判定されるまで、ステップ２００からステップ２２６の処理が繰返される。なお、本プログラムが一旦終了しても、電力系統１３０が停電から復帰すれば、再度本プログラムが起動されることが好ましい。
【００６０】
図５のフローチャートは蓄電ユニット１０２により実行される。具体的には、蓄電ユニット１０２の制御部が、蓄電ユニット１０２内部の記憶部から所定のプログラムを読出して実行する。
【００６１】
ステップ３００において、蓄電ユニット１０２は、データを受信したか否かを判定する。受信したと判定された場合、制御はステップ３０２に移行する。そうでなければ、ステップ３００が繰返される。
【００６２】
ステップ３０２において、蓄電ユニット１０２は、ステップ３００で受信したデータにバイパス出力の指示が含まれているか否かを判定する。含まれていると判定された場合、制御はステップ３０４に移行する。そうでなければ、制御はステップ３０６に移行する。バイパスパラメータが“１”であれば、バイパス出力の指示と判定され、バイパスパラメータが“０”であれば、バイパス出力の指示ではないと判定される。
【００６３】
ステップ３０４において、蓄電ユニット１０２は、第１バイパススイッチ１１２をオンする。その後制御はステップ３０８に移行する。
【００６４】
ステップ３０６において、蓄電ユニット１０２は、第１バイパススイッチ１１２をオフする。その後制御はステップ３０８に移行する。
【００６５】
ステップ３０８において、蓄電ユニット１０２は、充電、放電及び停止のいずれの指示を受けたか判定する。充放電パラメータが“−１”であれば充電の指示、“１”であれば放電の指示、“０”であれば停止の指示と判定される。充電の指示であると判定されると、制御はステップ３１０に移行し、放電の指示と判定されると、制御はステップ３１２に移行し、停止の指示であると判定されると、制御はステップ３１４に移行する。
【００６６】
ステップ３１０において、蓄電ユニット１０２は、ＰＣＳにより蓄電池の充電を開始する。その後制御はステップ３１６に移行する。
【００６７】
ステップ３１２において、蓄電ユニット１０２は、ＰＣＳにより蓄電池の放電を開始する。その後制御はステップ３１６に移行する。
【００６８】
ステップ３１４において、蓄電ユニット１０２は、ＰＣＳを停止する。その後制御はステップ３１６に移行する。
【００６９】
ステップ３１６において、蓄電ユニット１０２は、終了の指示を受けたか否かを判定する。終了の指示を受けたと判定された場合、本プログラムは終了する。そうでなければ、制御はステップ３００に戻り、ステップ３００からステップ３１６の処理が繰返される。終了の指示は、例えば、リモコン１０６から蓄電ユニット１０２に停止指示を送信することにより成される。なお、本プログラムが一旦終了しても、電力系統１３０が停電から復帰すれば、再度本プログラムが起動されることが好ましい。
【００７０】
図６のフローチャートは増設ユニット１０４により実行される。具体的には、増設ユニット１０４の制御部が、増設ユニット１０４内部の記憶部から所定のプログラムを読出して実行する。
【００７１】
図６のフローチャートは、図５のフローチャートにステップ４００及び４０２が追加されたものである。図６では、動作の主体が蓄電ユニット１０２から増設ユニット１０４に変更され、処理の対象が増設ユニット１０４内部の第２バイパススイッチ１１４及びＰＣＳである点が図５と異なる。図５と同じ番号を付したステップの処理は図５の処理と同じであるので、重複説明を繰返さず、主として異なる点を説明する。
【００７２】
増設ユニット１０４は、蓄電ユニット１０２と同様に、データを受信したか否かを判定し（ステップ３００）、受信したと判定された場合、ステップ４００において、増設ユニット１０４は、ＳＯＣの送信要求を受信したか否かを判定する。具体的には、増設ユニット１０４は、ステップ３００で受信したデータが、ステップ２０４（図４参照）で増設ユニット１０４から送信されたＳＯＣ要求コードであるか否かを判定する。ＳＯＣ要求コードを受信したと判定された場合、制御はステップ４０２に移行する。そうでなければ、制御はステップ３０２に移行する。
【００７３】
ステップ４０２において、増設ユニット１０４は、増設ユニット１０４内部の蓄電池の現在の蓄電量（ＳＯＣ）を検出し、その値をリモコン１０６に送信する。その後、制御はステップ３０２に移行する。
【００７４】
増設ユニット１０４は、蓄電ユニット１０２と同様に、終了の指示を受けるまで、ステップ３００からステップ３１６、ステップ４００及びステップ４０２の処理を繰返す。なお、増設ユニット１０４は、ステップ３０４では第２バイパススイッチ１１４をオンし、ステップ３０６では第２バイパススイッチ１１４をオフする。増設ユニット１０４は、ステップ３１０では、増設ユニット１０４内部のＰＣＳにより充電を開始し、ステップ３１２では、増設ユニット１０４内部のＰＣＳにより放電を開始し、ステップ３１４では、増設ユニット１０４内部のＰＣＳを停止させる。ステップ３１６において、増設ユニット１０４が、リモコン１０６から増設ユニット１０４に送信した停止指示を受信すると、本プログラムは終了する。なお、本プログラムが一旦終了しても、電力系統１３０が停電から復帰すれば、再度本プログラムが起動されることが好ましい。
【００７５】
図７のフローチャートは発電装置１２０により実行される。具体的には、発電装置１２０内部の制御部が、発電装置１２０内部の記憶部から所定のプログラムを読出して実行する。
【００７６】
ステップ５００において、発電装置１２０は、電力系統１３０に停電が発生したか否かを判定する。具体的には、発電装置１２０は、第２センサ１３２からの情報（電圧値）により、電力系統１３０に停電が発生しているか否かを判定する。例えば、電圧が所定値（ゼロに近い値）以下であれば、停電時であると判定できる。停電時であると判定された場合、制御はステップ５０２に移行する。そうでなければ、ステップ５００が繰返される。
【００７７】
ステップ５０２において、発電装置１２０は、自立運転を開始する。具体的には、発電装置１２０は上記したように、第２センサ１３２に電力を供給するための配電線への接続を開放して、自立出力端子１２２から電力の出力を開始する。その後、制御はステップ５０４に移行する。
【００７８】
ステップ５０４において、発電装置１２０は上記したように、自立出力端子１２２から供給する電力量を表す自立出力情報をリモコン１０６に送信する。その後、制御はステップ５０６に移行する。
【００７９】
ステップ５０６において、発電装置１２０は、終了するか否かを判定する。例えば、電力系統１３０の停電が解消し、電力系統１３０から電力の供給が開始されたことにより、発電装置１２０は終了すると判定する。終了すると判定された場合、発電装置１２０は、一般負荷１３４に電力を供給するための配電線に接続して電力の供給を開始し、自立出力端子１２２からの電力の供給を停止する。その後、本プログラムは終了する。そうでなければ、制御はステップ５０４に戻り、終了すると判定されるまで、ステップ５０４の処理が繰返される。なお、本プログラムが一旦終了しても、電力系統１３０が停電から復帰すれば、再度本プログラムが起動されることが好ましい。
【００８０】
以上により、電力系統１３０に停電が発生すると、リモコン１０６は、切替部１０８を停電時の状態に設定して特定負荷１２４を電力系統１３０から切り離し、増設ユニット１０４にＳＯＣ（蓄電量）の送信を要求する（図４のステップ２０４）。これにより、特定負荷１２４は、発電装置１２０の自立出力端子１２２、蓄電ユニット１０２及び増設ユニット１０４から電力が供給され得る接続状態になる。電力系統１３０に停電が発生すると、発電装置１２０は、自立運転を開始し、自立出力情報（自立出力端子１２２からの出力電力量）をリモコン１０６に送信する（図７のステップ５０２及び５０４）。増設ユニット１０４は、ＳＯＣ要求コードを受信すると、ＳＯＣをリモコン１０６に送信する（図６のステップ４０２）。リモコン１０６は、発電装置１２０の自立運転により供給される自立出力電力及び増設ユニット１０４のＳＯＣに応じて、発電装置１２０、蓄電ユニット１０２及び増設ユニット１０４のいずれから特定負荷１２４に電力を供給するかを決定する。続いて、リモコン１０６は、決定に応じた指示を蓄電ユニット１０２及び増設ユニット１０４に送信する（図４のステップ２０８からステップ２２４参照）。蓄電ユニット１０２は、リモコン１０６から受信した指示に応じて、第１バイパススイッチ１１２を設定し、ＰＣＳによる充放電を開始する、又はＰＣＳを停止する（図５のステップ３０２からステップ３１４）。同様に、増設ユニット１０４は、リモコン１０６から受信した指示に応じて、第２バイパススイッチ１１４を設定し、ＰＣＳによる充放電を開始する、又はＰＣＳを停止する（図６のステップ３０２からステップ３１４）。これにより、停電時において、発電装置１２０、蓄電ユニット１０２及び増設ユニット１０４のいずれかから、特定負荷１２４に電力を供給できる。
【００８１】
図８から図１１を参照して、自立出力電力及び増設ユニット１０４の蓄電量（ＳＯＣ）に応じて、特定負荷１２４にどのように電力が供給されるかを具体的に説明する。なお、図８から図１１には、図４に示した構成のうち、停電時に特定負荷１２４に供給される電力の変化に関係する要素のみを示している。破線の矢印は電流を表す。ここでは、通常時に、蓄電ユニット１０２及び増設ユニット１０４の蓄電池は充電されている（満充電には限らない）とする。
【００８２】
図８は、停電時に発電装置１２０が発電中であり、自立出力端子１２２から出力される電力（自立出力電力）が特定負荷１２４の消費電力よりも大きく、ＳＯＣ＝０ではない（増設ユニット１０４の蓄電池に蓄電されている）場合を示す。この場合、図４のステップ２０８の判定結果はＮＯであり、ステップ２１８が実行される。また、ステップ２２０の判定結果はＹＥＳであり、ステップ２２２が実行される。したがって、蓄電ユニット１０２には、（１，０）のデータ（バイパスパラメータが“１”（バイパス出力する）、充放電パラメータが“０”（ＰＣＳを停止））を含む指示が送信される。また、増設ユニット１０４には、（１，−１）のデータ（バイパスパラメータが“１”（バイパス出力する）、充放電パラメータが“−１”（充電））を含む指示が送信される。その結果、図８に示すように、蓄電ユニット１０２のＰＣＳは停止し、第１バイパススイッチ１１２はオンし、入力される電力をバイパスして増設ユニット１０４に出力する。増設ユニット１０４は、入力される電力をバイパスして特定負荷１２４に出力し、余剰電力を内部の蓄電池に充電する。
【００８３】
図９は、図８の状態から、発電装置１２０の発電量が低下し、自立出力端子１２２から出力される電力（自立出力電力）が特定負荷１２４の消費電力よりも小さくなった場合（ＳＯＣ＝０ではない）を示す。この場合、図４のステップ２０８の判定結果はＮＯであり、ステップ２１８が実行される。また、ステップ２２０の判定結果はＮＯであり、ステップ２２４が実行される。したがって、蓄電ユニット１０２には、図８の場合と同様に、（１，０）のデータを含む指示が送信される。また、増設ユニット１０４には、図８の場合と異なり、（０，１）のデータ（バイパスパラメータが“０”（バイパス出力しない）、充放電パラメータが“１”（放電））を含む指示が送信される。その結果、図９に示すように、蓄電ユニット１０２のＰＣＳが停止し、第１バイパススイッチ１１２がオン（バイパス出力する）した状態が維持される。増設ユニット１０４は、第２バイパススイッチ１１４をオフ（バイパス出力しない）し、内部の蓄電池を放電して特定負荷１２４に電力を供給する。
【００８４】
図１０は、図９の状態から、増設ユニット１０４の蓄電残量がゼロ（ＳＯＣ＝０）になり、発電装置１２０の発電電力が増大し、自立出力端子１２２から出力される電力（自立出力電力）が特定負荷１２４の消費電力よりも大きくなった場合を示す。この場合、図４のステップ２０８の判定結果はＹＥＳであり、ステップ２１０が実行される。また、ステップ２１２の判定結果はＹＥＳであり、ステップ２１４が実行される。したがって、増設ユニット１０４には、（１，０）のデータ（バイパスパラメータが“１”（バイパス出力する）、充放電パラメータが“０”（ＰＣＳを停止））を含む指示が送信される。蓄電ユニット１０２には、（１，−１）のデータ（バイパスパラメータが“１”（バイパス出力する）、充放電パラメータが“−１”（充電））を含む指示が送信される。その結果、図１０に示すように、蓄電ユニット１０２は、第１バイパススイッチ１１２をオン（バイパス出力する）し、入力される電力のうち特定負荷１２４で消費される電力をバイパスして増設ユニット１０４に出力し、余剰電力を内部の蓄電池に充電する。増設ユニット１０４は、ＰＣＳを停止し、第２バイパススイッチ１１４をオン（バイパス出力する）し、入力される電力をバイパスして特定負荷１２４に出力する。
【００８５】
図１１は、図１０の状態から、発電装置１２０の発電量が低下し、自立出力端子１２２から出力される電力（自立出力電力）が特定負荷１２４の消費電力よりも小さくなった場合（ＳＯＣ＝０）を示す。この場合、図４のステップ２０８の判定結果はＹＥＳであり、ステップ２１０が実行される。また、ステップ２１２の判定結果はＮＯであり、ステップ２１６が実行される。したがって、増設ユニット１０４には、図１０の場合と同様に、（１，０）のデータを含む指示が送信される。蓄電ユニット１０２には、図１０の場合と異なり、（０，１）のデータ（バイパスパラメータが“０”（バイパス出力しない）、充放電パラメータが“１”（放電））を含む指示が送信される。その結果、図１１に示すように、蓄電ユニット１０２は、第１バイパススイッチ１１２をオフ（バイパス出力しない）し、内部の蓄電池を放電して増設ユニット１０４に電力を出力する。増設ユニット１０４は、ＰＣＳを停止し、第２バイパススイッチ１１４がオン（バイパス出力する）した状態を維持し、入力される電力をバイパスして特定負荷１２４に出力する。
【００８６】
このように、直列に接続された２台の蓄電ユニットのうち、特定負荷１２４により近い位置で接続されたユニット（増設ユニット１０４）に充放電を実行させる。そのユニット（増設ユニット１０４）の蓄電量がなくなり放電できなくなれば、残りのユニット（蓄電ユニット１０２）に充放電させる。これにより、停電が発生した場合に、発電装置１２０、蓄電ユニット１０２及び増設ユニット１０４のいずれかから効率的に特定負荷１２４に電力を供給できる。
【００８７】
上記では、直列に接続された蓄電ユニット１０２及び増設ユニット１０４のうち、特定負荷１２４により近い位置（即ち発電装置１２０からより遠い位置）で接続された増設ユニット１０４に、最初に充放電を実行させる場合を説明したが、これに限定されない。例えば、停電が発生し、発電装置１２０の自立出力電力が特定負荷１２４の消費電力よりも大きい場合、特定負荷１２４に電力を供給しつつ、発電装置１２０の余剰電力により、蓄電ユニット１０２及び増設ユニット１０４を充電してもよい。このとき、蓄電ユニット１０２及び増設ユニット１０４を充電する電力の割合は、蓄電ユニット１０２及び増設ユニット１０４の各々の状態、即ち、ＳＯＣ及び劣化度の少なくとも一方を考慮して、その値が均等になるように制御すればよい。劣化度は、電池の劣化状態を表す指標、例えばＳＯＨ（Ｓｔａｔｅ  Ｏｆ  Ｈｅａｌｔｈ）である。ＳＯＨは、ある時点（劣化時）の蓄電容量（Ａｈ）の、初期の満充電容量（Ａｈ）に対する割合（％）で表される。
【００８８】
一方、発電装置１２０の自立出力電力が消失した場合（ゼロになった場合）、蓄電ユニット１０２の第１バイパススイッチ１１２をオフする。そして、直列に接続された蓄電ユニット１０２及び増設ユニット１０４のいずれかから特定負荷１２４に電力を供給する。例えば、図１１と同様に、増設ユニット１０４の第２バイパススイッチ１１４をオンし、特定負荷１２４からより遠い位置（即ち発電装置１２０により近い位置）で接続された蓄電ユニット１０２の蓄電池から特定負荷１２４に電力を供給する。ここでは、増設ユニット１０４の蓄電池は蓄電されている（ＳＯＣ＝０ではない）とする。その後、蓄電ユニット１０２の蓄電池の蓄電残量が消失すれば（ゼロになれば）、図１２に示すように、増設ユニット１０４の第２バイパススイッチ１１４をオフし、増設ユニット１０４の蓄電池から特定負荷１２４に電力を供給する。
【００８９】
［効果］
同じ製品である蓄電ユニット１０２及び増設ユニット１０４を２台直列に接続した構成の自立運転用蓄電システム１００において、停電が発生した場合に、発電装置１２０、蓄電ユニット１０２及び増設ユニット１０４のいずれかから特定負荷１２４に電力を供給できる。また、発電装置１２０の発電量が変化した場合には、蓄電ユニット１０２及び増設ユニット１０４の充放電状態を適切に制御して、特定負荷１２４への電力供給を維持できる。
【００９０】
発電装置１２０の発電量が低下した場合には、蓄電ユニット１０２又は増設ユニット１０４から特定負荷１２４に電力を供給するように制御する。そのとき、蓄電ユニット１０２及び増設ユニット１０４が直列接続されていることにより、並列接続される場合よりも長い時間特定負荷１２４に電力を供給できる。
【００９１】
また、１台の蓄電ユニット１０２が設置された後、停電時に特定負荷１２４に供給する電力量を増大させる必要が生じた場合、蓄電ユニット１０２と同じ製品（増設ユニット１０４）を追加することにより容易に対応できる。
【００９２】
（第１変形例）
上記では、２台の蓄電ユニットを、発電装置１２０の自立出力端子１２２と特定負荷１２４との間に直列接続する場合を説明したが、これに限定されない。３台以上の蓄電ユニットを、発電装置１２０の自立出力端子１２２と特定負荷１２４との間に直列接続してもよい。その場合にも、直列に接続された複数台の蓄電ユニットのうち、特定負荷１２４に最も近い位置で接続された蓄電ユニットに充放電を実行させる。その蓄電ユニットの蓄電量がゼロになり放電できなくなれば、特定負荷１２４に２番目に近い位置で接続された蓄電ユニットに充放電を実行させる。同様に、特定負荷１２４に２番目に近い位置で接続された蓄電ユニットの蓄電量がゼロになれば、特定負荷１２４に３番目に近い位置で接続された蓄電ユニットに充放電を実行させる。このように、特定負荷１２４に近い蓄電ユニットから優先的に順次充放電させることにより、停電が発生した場合に、発電装置及び複数の蓄電ユニットのいずれかから特定負荷１２４に効率的に電力を供給できる。また、複数の蓄電ユニットが直列接続されていることにより、並列接続される場合よりも長い時間、特定負荷１２４に電力を供給できる。なお、特定負荷１２４から遠い蓄電ユニット、即ち、発電装置１２０に近い蓄電ユニットから優先的に順次充放電させてもよい。
【００９３】
３台以上の蓄電ユニットを、発電装置１２０の自立出力端子１２２と特定負荷１２４との間に直列接続する場合、リモコン１０６は、２台の蓄電ユニットを直列接続する場合と同様に動作すればよい。即ち、リモコン１０６は、自立出力端子１２２の出力電力に応じて、各蓄電ユニットに対して、それぞれの内部のバイパススイッチの設定及びＰＣＳの動作に関する指示を生成すればよい。これにより、複数の蓄電ユニット及び発電装置１２０の中から、特定負荷１２４に供給する電力源を適切に決定することができる。
【００９４】
また、リモコン１０６は、第１センサ１１０の検出値から得た特定負荷１２４の消費電力と自立出力端子１２２の出力電力とに応じて、各蓄電ユニットに対して、それぞれの内部のバイパススイッチの設定及びＰＣＳの動作に関する指示を生成してもよい。これにより、複数の蓄電ユニット及び発電装置の中から、特定負荷１２４に供給する電力源を、より適切に決定できる。
【００９５】
また、リモコン１０６は、各蓄電ユニットの蓄電池の蓄電量及び劣化度（ＳＯＨ）の少なくとも一方に応じて、当該蓄電ユニットに対して、内部のバイパススイッチの設定及びＰＣＳの動作に関する指示を生成してもよい。これにより、複数の蓄電ユニット及び発電装置の中から、特定負荷１２４に供給する電力源を適切に決定でき、１つの蓄電ユニットの蓄電池から電力を供給しているときに蓄電量がゼロになれば、別の蓄電ユニットの蓄電池から電力を供給できる。
【００９６】
上記では、バイパスパラメータ及び充放電パラメータを含む指示が送信される場合を説明したが、これに限定されない。各ユニット（蓄電ユニット１０２及び増設ユニット１０４）に対して、それぞれのバイパススイッチの設定及びＰＣＳの動作を指定できればよい。例えば、リモコン及び各ユニットが、バイパススイッチの設定及びＰＣＳの動作の可能な組合せをテーブル形式で記憶しておき、リモコンから、１つの組合せを特定する情報（例えば、番号）を各ユニットに送信してもよい。各ユニットは、番号でテーブルを検索して、バイパススイッチの設定及びＰＣＳの動作を特定できる。
【００９７】
上記では、リモコン１０６が第２センサ１３２の検出値から停電の有無を判定する場合を説明したが、これに限定されない。リモコン１０６は、外部装置（例えば発電装置１２０）から停電の発生を表す情報を受信してもよい。
【００９８】
（第２変形例）
上記では、特定負荷１２４に供給される電流を第１センサ１１０により検出する場合を説明したが、これに限定されない。蓄電ユニット１０２及び増設ユニット１０４は、内部に電流センサを備えており、それぞれのユニットの出力電力を測定できる。したがって、図３において、第１センサ１１０を備えない構成であってもよい。その場合、リモコン１０６は、図４のフローチャートにおいて、ステップ２００の処理を実行する必要はない。リモコン１０６は、蓄電ユニット１０２及び増設ユニット１０４のそれぞれに関して、内部の電流センサにより、各ユニットの出力電流を測定し、測定値から算出される出力電力と各ユニットの最大出力電力とを比較する。その比較結果に応じて、リモコン１０６は、蓄電ユニット１０２及び増設ユニット１０４のそれぞれから電力を供給するか否かを決定できる。
【００９９】
例えば、リモコン１０６は、図１３のフローチャートを実行すればよい。図１３のフローチャートは、図４のフローチャートにおいて、ステップ２００が削除され、ステップ２１２、２１６、２２０及び２２４がそれぞれステップ２４２、２４４、２４８及び２５０に代替され、ステップ２４０及び２４６が追加されたものである。図１３の各ステップに関して、図４と同じ番号が付されたステップの処理は図４と同じである。したがって、重複説明を繰返さず、主として異なる点に関して説明する。
【０１００】
停電が発生すると、リモコン１０６は、ＳＯＣ及び自立出力電力を取得する。その後、リモコン１０６は、ステップ２０８での判定結果がＹＥＳ（ＳＯＣ＝０）である場合、ステップ２１０において、増設ユニット１０４に、入力される電力をバイパス出力し、且つ、ＰＣＳを停止するように指示を送信する。その後、ステップ２４０において、リモコン１０６は、蓄電ユニット１０２に、入力される電力をバイパス出力するように指示を送信する。
【０１０１】
続いて、ステップ２４２において、リモコン１０６は、蓄電ユニット１０２に、蓄電ユニット１０２の出力電力（内部の電流センサにより測定された出力電流値からの算出値）の送信を要求する。リモコン１０６は、取得した値（蓄電ユニット１０２の出力電力）が、自立出力最大値未満であるか否かを判定する。蓄電ユニット１０２の出力電力が、自立出力最大値未満であれば、制御はステップ２１４に移行し、そうでなければ、制御はステップ２４４に移行する。この自立出力最大値は、現時点で発電装置１２０が出力可能な電力の最大値、即ち、ステップ２０６で取得した自立出力電力（発電装置１２０から送信される、自立出力端子１２２から供給される電力量を表す自立出力情報）を意味する。蓄電ユニット１０２及び増設ユニット１０４はいずれも、バイパスするように指示されて（ステップ２１０及び２４０）バイパススイッチがオンしており、増設ユニット１０４はＳＯＣ＝０である。したがって、蓄電ユニット１０２の内部の電流センサの測定値から算出される蓄電ユニット１０２の出力電力は、特定負荷１２４の消費電力を表している。また、蓄電ユニット１０２の出力電力には、蓄電ユニット１０２自体の出力電力に加えて、発電装置１２０からの出力電力が含まれ得る。
【０１０２】
ステップ２１４では、上記したように、図４と同じ処理が実行される。一方、ステップ２４４において、リモコン１０６は、蓄電ユニット１０２に、バイパスし放電するように指示を送信する。
【０１０３】
これにより、蓄電ユニット１０２の出力電力（特定負荷１２４での消費電力）が、発電装置１２０の最大電力を超える場合、不足分を蓄電ユニット１０２の放電により供給できる（ステップ２４４）。
【０１０４】
ステップ２０８での判定結果がＮＯ（ＳＯＣ＞０）である場合、ステップ２１８において、リモコン１０６は、蓄電ユニット１０２に、入力される電力をバイパス出力し、且つ、ＰＣＳを停止するように指示を送信する。その後、ステップ２４６において、リモコン１０６は、増設ユニット１０４に、入力される電力をバイパス出力するように指示を送信する。
【０１０５】
続いて、ステップ２４８において、リモコン１０６は、増設ユニット１０４に、増設ユニット１０４の出力電力（内部の電流センサにより測定された出力電流値からの算出値）の送信を要求する。リモコン１０６は、取得した値（増設ユニット１０４の出力電力）が、自立出力最大値未満であるか否かを判定する。増設ユニット１０４の出力電力が、自立出力最大値未満であれば、制御はステップ２２２に移行し、そうでなければ、制御はステップ２５０に移行する。この自立出力最大値は、増設ユニット１０４自体が出力可能な電力の最大値を意味する。蓄電ユニット１０２及び増設ユニット１０４はいずれも、バイパスするように指示されて（ステップ２１８及び２４６）バイパススイッチがオンしている。したがって、増設ユニット１０４の内部の電流センサの測定値から算出される増設ユニット１０４の出力電力には、増設ユニット１０４自体の出力電力に加えて、発電装置１２０及び蓄電ユニット１０２からの出力電力が含まれ得る。但し、ここでは、ステップ２１８により、蓄電ユニット１０２からの出力電力は０になっている。
【０１０６】
ステップ２２２では、上記したように、図４と同じ処理が実行される。一方、ステップ２５０において、リモコン１０６は、増設ユニット１０４及び蓄電ユニット１０２に、放電するように指示を送信する。
【０１０７】
これにより、増設ユニット１０４の出力電力（特定負荷１２４での消費電力）が、増設ユニット１０４自体の自立出力最大値を超える場合、不足分を蓄電ユニット１０２の放電により供給できる（ステップ２５０）。例えば、増設ユニット１０４の最大出力電力（自立出力最大値）を１５００Ｗとしたとき、増設ユニット１０４の出力電力（測定値）が１６００Ｗを超えた場合、蓄電ユニット１０２から不足分（１００Ｗ）を供給できる。
【０１０８】
なお、増設ユニット１０４自体が出力可能な最大電力は、予めリモコン１０６内部の記憶部に記憶しておけばよい。
【０１０９】
また、図１３のステップ２４２の処理に関して、自立出力最大値として、蓄電ユニット１０２自体が出力可能な電力の最大値を用いてもよい。その場合には、ステップ２４２に続く処理においては、蓄電ユニット１０２の出力電力（特定負荷１２４での消費電力）が、蓄電ユニット１０２自体の自立出力最大値を超えるときには、不足分を発電装置１２０から供給すればよい。また、その場合には、ステップ２０６において、リモコン１０６は、自立出力電力（発電装置１２０から送信される自立出力情報）を取得しなくてもよい。
【０１１０】
（第３変形例）
上記では、リモコン１０６が主体となって、蓄電ユニット１０２及び増設ユニット１０４を制御する場合を説明したが、これに限定されない。蓄電ユニット１０２及び増設ユニット１０４の少なくとも一方が主体となって同様の制御を行なってもよい。第３変形例では、蓄電ユニット１０２が主体となり、リモコン１０６と同様の制御を行なう。第３変形例に係る自立運転用蓄電システム１５０は、図１４に示すように構成できる。自立運転用蓄電システム１５０は、図３の自立運転用蓄電システム１００からリモコン１０６を削除したものである。自立運転用蓄電システム１５０はさらに、蓄電ユニット１０２のＰＣＳ１５２及び増設ユニット１０４のＰＣＳ１５４を相互に通信可能に接続する通信経路１６０と、蓄電ユニット１０２のＰＣＳ１５２が情報を取得し各機器を制御するためのライン１６２〜１６８とを含む。通信経路１６０は、有線通信によるものであっても無線通信によるものであってもよい。
【０１１１】
蓄電ユニット１０２のＰＣＳ１５２は、図５に示したフローチャートの処理に加えて、図４に示したフローチャートと同様の処理を実行する。増設ユニット１０４のＰＣＳ１５４は、図６に示したフローチャートと同じ処理を実行する。発電装置１２０は、図７に示したフローチャートと同じ処理を実行する。したがって、図４から図７の各ステップを適宜参照する。
【０１１２】
ＰＣＳ１５２は、第１センサ１１０から特定負荷電力検出ライン１６２を介して入力される情報（電流値）から特定負荷１２４に供給されている電力を求める（図４のステップ２００参照）。続いて、ＰＣＳ１５２は、第２センサ１３２から停電検出ライン１６４を介して入力される情報（電圧値）により、電力系統１３０に停電が発生しているか否かを判定する（図４のステップ２０２参照）。
【０１１３】
ＰＣＳ１５２は、切替部１０８に切替部制御ライン１６６を介して指示を出力し、切替部１０８を停電時の設定（入力端１４０及び出力端１４４が接続）にする。また、ＰＣＳ１５２は、増設ユニット１０４内部の蓄電池のＳＯＣの送信を要求するＳＯＣ要求コードを、増設ユニット１０４に通信経路１６０を介して送信する（図４のステップ２０４参照）。これを受けて、増設ユニット１０４のＰＣＳ１５４は、増設ユニット１０４内部の蓄電池の現在のＳＯＣを検出し、通信経路１６０を介してその値をＰＣＳ１５２に送信する（図６のステップ４０２参照）。
【０１１４】
ＰＣＳ１５２は、発電装置１２０から自立出力情報取得ライン１６８を介して自立出力情報（発電装置１２０が供給する電力量）を取得し、増設ユニット１０４から通信経路１６０を介してＳＯＣを取得する（図４のステップ２０６参照）。続いて、ＰＣＳ１５２は、ＳＯＣがゼロであるか否かを判定する（図４のステップ２０８参照）。ＳＯＣ＝０である場合、ＰＣＳ１５２は、入力される電力をバイパス出力し、且つ、ＰＣＳを停止するように、増設ユニット１０４に通信経路１６０を介して指示を送信する（図４のステップ２１０参照）。これを受けて、増設ユニット１０４のＰＣＳ１５４は、指示に応じた処理を実行する（図６のステップ３０２〜３１４参照）。
【０１１５】
ＰＣＳ１５２は、自立出力電力が特定負荷１２４の電力以上であるか否かを判定する（ステップ２１２参照）。自立出力電力が特定負荷電力以上であれば、ＰＣＳ１５２は、蓄電ユニット１０２に入力される電力をバイパス出力し、且つ、充電するように蓄電ユニット１０２を制御する（図４のステップ２１４参照）。即ち、ＰＣＳ１５２は、第１バイパススイッチ１１２をオンし（図５のステップ３０４参照）、蓄電池の充電を開始する（図５のステップ３１０参照）。
【０１１６】
自立出力電力が特定負荷電力未満であれば、ＰＣＳ１５２は、蓄電ユニット１０２に入力される電力をバイパス出力せず、且つ、放電するように、蓄電ユニット１０２を制御する（図４のステップ２１６参照）。即ち、ＰＣＳ１５２は、第１バイパススイッチ１１２をオフし（図５のステップ３０６参照）、蓄電池の放電を開始する（図５のステップ３１２参照）。
【０１１７】
ＳＯＣ＝０でない場合、ＰＣＳ１５２は、蓄電ユニット１０２に入力される電力をバイパス出力し、且つ、充放電の制御機能を停止するように、蓄電ユニット１０２を制御する（図４のステップ２１８参照）。即ち、ＰＣＳ１５２は、第１バイパススイッチ１１２をオンし（図５のステップ３０４参照）、蓄電ユニット１０２の蓄電池の充放電を制御する機能を停止する（図５のステップ３１４参照）。続いて、ＰＣＳ１５２は、自立出力電力が特定負荷１２４の電力以上であるか否かを判定する（図４のステップ２２０参照）。
【０１１８】
自立出力電力が特定負荷電力以上であれば、ＰＣＳ１５２は、増設ユニット１０４に入力される電力をバイパス出力し、且つ、充電するように、増設ユニット１０４に通信経路１６０を介して指示を送信する（図４のステップ２２２参照）。自立出力電力が特定負荷電力未満であれば、ＰＣＳ１５２は、増設ユニット１０４に入力される電力をバイパス出力せず、且つ、放電するように、増設ユニット１０４に通信経路１６０を介して指示を送信する（図４のステップ２２４参照）。これを受けて、増設ユニット１０４のＰＣＳ１５４は、指示に応じた処理を実行する（図６のステップ３０２からステップ３１４参照）。
【０１１９】
以上により、自立運転用蓄電システム１５０は、自立運転用蓄電システム１００（図３）と同様に動作する。即ち、電力系統１３０に停電が発生すると、ＰＣＳ１５２は、切替部１０８を停電時の状態に設定して特定負荷１２４を電力系統１３０から切り離し、増設ユニット１０４にＳＯＣ（蓄電量）の送信を要求する（図４のステップ２０４参照）。これにより、特定負荷１２４は、発電装置１２０の自立出力端子１２２、蓄電ユニット１０２及び増設ユニット１０４から電力が供給され得る接続状態になる。電力系統１３０に停電が発生すると、発電装置１２０は、自立運転を開始し、自立出力情報をＰＣＳ１５２に送信する（図７のステップ５０２及びステップ５０４参照）。増設ユニット１０４は、ＳＯＣ要求コードを受信すると、ＳＯＣをＰＣＳ１５２に送信する（図６のステップ４０２参照）。ＰＣＳ１５２は、発電装置１２０の自立運転により供給される自立出力電力及び増設ユニット１０４のＳＯＣに応じて、発電装置１２０、蓄電ユニット１０２及び増設ユニット１０４のいずれから特定負荷１２４に電力を供給するかを決定する。続いて、ＰＣＳ１５２は、決定に応じて、蓄電ユニット１０２を設定し、指示を増設ユニット１０４に送信する（図４のステップ２０８からステップ２２４参照）。即ち、ＰＣＳ１５２は、決定に応じて、第１バイパススイッチ１１２を設定し、充放電を開始する、又は、充放電の制御機能を停止する（図５のステップ３０２からステップ３１４参照）。同様に、増設ユニット１０４は、ＰＣＳ１５２から受信した指示に応じて、第２バイパススイッチ１１４を設定し、ＰＣＳ１５４による充放電を開始する、又は、ＰＣＳ１５４の充放電の制御機能を停止する（図６のステップ３０２からステップ３１４参照）。これにより、停電時において、発電装置１２０、蓄電ユニット１０２及び増設ユニット１０４のいずれかから、特定負荷１２４に電力を供給できる。
【０１２０】
以上のように、蓄電ユニット１０２のＰＣＳ１５２は、リモコン１０６の機能を担うことができる。なお、蓄電ユニット１０２の代わりに増設ユニット１０４が主体となって、上記と同様の制御を行なってもよい。即ち、蓄電ユニット１０２がリモコンを含む場合、又は、増設ユニット１０４がリモコンを含む場合が考えられる。
【０１２１】
上記では、バイパススイッチ（１１２、１１４）が、各蓄電ユニット（１０２、１０４）における入力端子とＰＣＳとの間にのみ配置され、ＰＣＳと出力端子とがスイッチを介さずに直接接続されている場合を説明したが、これに限定されない。ＰＣＳと出力端子との間にスイッチを設けてもよい。また、各蓄電ユニットにおいて、ＰＣＳの前後にスイッチを設け、合計２つのスイッチを制御してもよい。
【０１２２】
以上、実施の形態を説明することにより本発明を説明したが、上記した実施の形態は例示であって、本発明は上記した実施の形態のみに制限されるわけではない。本発明の範囲は、発明の詳細な説明の記載を参酌した上で、請求の範囲の各請求項によって示され、そこに記載された文言と均等の意味及び範囲内での全ての変更を含む。
【符号の説明】
【０１２３】
１００、１５０    自立運転用蓄電システム
１０２、９００、９１０    蓄電ユニット
１０４、９０２、９１２    増設ユニット
１０６、９０４、９１４、９１６    リモコン
１０８    切替部
１１０    第１センサ
１１２    第１バイパススイッチ
１１４    第２バイパススイッチ
１２０、９２０    発電装置
１２２    自立出力端子
１２４    特定負荷
１３０    電力系統
１３２    第２センサ
１３４    一般負荷
１４０、１４２    入力端
１４４    出力端
１５２、１５４    ＰＣＳ
１６０    通信経路
１６２    特定負荷電力検出ライン
１６４    停電検出ライン
１６６    切替部制御ライン
１６８    自立出力情報取得ライン
２００、２０２、２０４、２０６、２０８、２１０、２１２、２１４、２１６、２１８、２２０、２２２、２２４、２２６、３００、３０２、３０４、３０６、３０８、３１０、３１２、３１４、３１６、４００、４０２、５００、５０２、５０４、５０６    ステップ
９０６    特定コンセント
９２２    第１特定負荷
９２４    第２特定負荷
９２６    第１自立出力端子
９２８    第２自立出力端子
【図１】
2019235220.tif 000003
【図２】
2019235220.tif 000004
【図３】
2019235220.tif 000005
【図４】
2019235220.tif 000006
【図５】
2019235220.tif 000007
【図６】
2019235220.tif 000008
【図７】
2019235220.tif 000009
【図８】
2019235220.tif 000010
【図９】
2019235220.tif 000011
【図１０】
2019235220.tif 000012
【図１１】
2019235220.tif 000013
【図１２】
2019235220.tif 000014
【図１３】
2019235220.tif 000015
【図１４】
2019235220.tif 000016
【国際調査報告】
2019235220.tif 000017
2019235220.tif 000018